(57)【要約】【課題】  連結部材の溶接・切断手段を不要とする連結構造の提供にある。【解決手段】  連結構造１０は、接続部材２０とそれに隣り合う隣接部材たるリング部材３０とを交互に連結させて構成されている。接続部材２０は、隣り合う一方のリング部材３０ａの一部を通して係止しても充分に貫通空間が残存するほどの大きさの貫通孔２１と、隣り合う他方の隣接部材３０ｂと貫通孔２１を介さずに係止する係止手段とからなる。また、リング部材３０は、切欠部３１を有する円状の部材である。そして、この連結構造１０は、リング部材３０の一部を接続部材２０の貫通孔２１に通して係止するとともに、接続部材２０に設けられたピン孔２３と、リング部材３０の切欠部端面３２に設けられたピン孔３３とにピン部材４０を通す係止手段によって、接続部材２０とリング部材３０を交互に連結させる。【選択図】  図１
0003118705.tif 000002
【実用新案登録請求の範囲】
【請求項１】
複数の部材を着脱自在に連結させた連結構造であって、
隣り合う一方の隣接部材の一部を通して係止しても充分に貫通空間が残存するほどの大きさの貫通孔と、
隣り合う他方の隣接部材と貫通孔を介さずに係止する係止手段とからなる接続部材を備えたことを特徴とする連結構造。
【請求項２】
接続部材の貫通孔が、プレス又は削り出しによって形成されたことを特徴とする請求項１記載の連結構造。
【請求項３】
隣接部材が、切欠部を有する円状又は多角形状の環状部材であることを特徴とする請求項１又は２記載の連結構造。
【請求項４】
係止手段が、第三の部材を使用して係止することを特徴とする請求項１から３のいずれかに記載の連結構造。
【請求項５】
係止手段が、接続部材にピン部材を通すピン孔を設け、隣接部材の切欠部端面にピン部材を通すピン孔を設け、第三部材であるピン部材を使用してこれらピン孔にピン部材を通して係止することを特徴とする請求項１から４のいずれかに記載の連結構造。
【請求項６】
請求項１から５のいずれかに記載の連結構造を用いた身飾品。
【考案の詳細な説明】
【技術分野】
【０００１】
本考案は、チェーンやバンドなど複数の部材を着脱自在に連結させた連結構造およびその構造を用いた身飾品に関するものである。
【背景技術】
【０００２】
チェーン（鎖帯）に関する先行技術としては、特許文献１に開示されたものがある。そこでは、図３に示すように、ブロック体１と有端リング３を交互並列し、該ブロック体１の一端に前記の有端リング径より大きい遊孔２を設けて該有端リング３のリング部を自由挿通し、該有端リング３の他側開口部３ａと嵌合する前記ブロック体１の他端に連通する連結孔を設けて、該連結孔に連結軸５を挿着して、該ブロック体と有端リングを左右および上下動自在に連結したことを特徴とするブロック体と有端リングの交互連結にてなる鎖帯６が開示されている。
【０００３】
【特許文献１】実開平７−３９５２５号公報
【考案の開示】
【考案が解決しようとする課題】
【０００４】
確かに、特許文献１の鎖帯６は、連結部材（ブロック体１と有端リング３）に溶接や切断手段を用いることなく、ブロック体１と有端リング３を左右および上下動自在に連結させた点で極めて優れた考案である。
しかしながら、ブロック体１と有端リング３の連結が、ブロック体１の遊孔２及び連結孔４ｂによるものなので、連結した状態でのブロック体１が環状部材に見えず、単なる有端リング３，３を連結させるための接続部材にしか見えなかった。このため、環状部材を交互に連結させたチェーン（鎖帯）デザインにはならないという欠点があった。
【０００５】
そこで、本考案者は、上記のような問題点を解決すべく、連結部材の溶接・切断手段を不要とする連結構造にあって、環状部材を交互に連結させたチェーン（鎖帯）として認識される連結構造を提供することを目的とし、本考案を完成するに至った。
【課題を解決するための手段】
【０００６】
上記目的を達成するために、第１の考案は、複数の部材を着脱自在に連結させた連結構造にあって、隣り合う一方の隣接部材の一部を通して係止しても充分に貫通空間が残存するほどの大きさの貫通孔と、隣り合う他方の隣接部材と貫通孔を介さずに係止する係止手段とからなる接続部材を備えたことを特徴とするものである。
第２の考案は、接続部材の貫通孔が、プレス又は削り出しによって形成されたことを特徴とするものである。
第３の考案は、隣接部材が、切欠部を有する円状又は多角形状の環状部材であることを特徴とするものである。
第４の考案は、係止手段が、第三の部材を使用して係止することを特徴とするものである。ここで「第三の部材」とは、接続部材及び隣接部材以外の部材を意味する。
第５の考案は、係止手段が、接続部材にピン部材を通すピン孔を設け、隣接部材の切欠部端面にピン部材を通すピン孔を設け、第三部材であるピン部材を使用してこれらピン孔にピン部材を通して係止することを特徴とするものである。
第６の考案は、上記連結構造を用いた身飾品であることを特徴とするものである。ここで「身飾品」には、ブレスレットやネックレスの他に、時計バンドなど広く身に付けるもの全般が含まれる。
【考案の効果】
【０００７】
本考案によれば、次のような効果を有する。
（１）接続部材が、隣り合う一方の隣接部材の一部を通して係止しても充分に貫通空間が残存するほどの大きさの貫通孔と、隣り合う他方の隣接部材と貫通孔を介さずに係止する係止手段とを備えることで、隣接部材を接続した場合に、接続部材も環状部材に見えて、環状部材を交互に連結させたチェーン（鎖帯）風の連結構造として認識できる。
（２）連結部材に溶接・切断手段を用いない連結構造であるので、連結構造の使用中に何かの拍子で溶接部分が開いてしまい、連結部材が外れることを防止できる。このため、製品の品質が向上する。
（３）長さ調整のために連結部材を取り付け・取り外しする場合に、溶接・切断という作業が不要となり、手間と技術を要しない。従って、素人でも簡単に長さ調整ができるようになる。また、連結部材を無駄にすることもなくなる。
（４）溶接跡がないため、見栄えがよい。
（５）接続部材の貫通孔がプレス又は削り出しによって形成されることで、溶接部分のない強固な部材を提供できるだけでなく、プレス形状・削り出し形状に様々なバリエーションをもたせ、デザインの多様化を図ることができる。
【考案を実施するための最良の形態】
【０００８】
本考案の実施形態を図面に基づいて説明する。
図１は、本考案の実施形態を示す説明図である。図１に示す連結構造１０は、接続部材２０とそれに隣り合う隣接部材たるリング部材３０とを交互に連結させて構成されている。
【０００９】
接続部材２０は、隣り合う一方のリング部材３０ａの一部を通して係止しても充分に貫通空間が残存するほどの大きさの貫通孔２１と、隣り合う他方の隣接部材３０ｂと貫通孔２１を介さずに係止する係止手段とからなる。なお、接続部材２０の貫通孔２１はプレス又は削り出しによって形成されている。
また、リング部材３０は、切欠部３１を有する円状の部材である。
そして、この連結構造１０は、リング部材３０の一部を接続部材２０の貫通孔２１に通して係止するとともに、接続部材２０に設けられたピン孔２３と、リング部材３０の切欠部端面３２に設けられたピン孔３３とにピン部材４０を通す係止手段によって、接続部材２０とリング部材３０を交互に連結させるものである。これによって、接続部材２０にもリング部材３０と係止しても充分に貫通空間が残存するほどの大きさの貫通孔２１が形成されるので、環状部材を交互に連結させたチェーン（鎖帯）風の連結構造として認識されるようになる。
【００１０】
この連結構造１０の組立て方は、次の通りである。
（１）まず、リング部材３０の一部を接続部材２０の貫通孔２１に通す。
（２）次に、接続部材２０の貫通孔２１に通したリング部材３０の切欠部端面３２に設けられたピン孔３３と接続部材２０に設けられたピン孔２３と合致させる。
（３）そして、ピン孔３３，２３，３３にピン部材４０を挿通させる。これによって、接続部材２０とリング部材３０が連結される。
そして、この連結構造１０の連結部材（接続部材２０又はリング部材３０）を取り外す場合には、これと逆の作業をすればよい。
【００１１】
連結構造１０は、以上のような構造となっているので、従来のように連結部材を溶接して連結させたり、連結部材を切断して取り外す必要がなく、極めて簡単に着脱自在に連結させることができるのである。
【００１２】
図２は、連結構造１０の効果の一例を図示したものである。
図２（Ａ）は、連結構造１０の側面図である。接続部材２０はリング部材３０と貫通孔２１及びピン孔２３を介して係止させているので、矢印に示すように、リング部材３０が上下方向に回動自在となる。
また、図２（Ｂ）は、連結構造１０の平面図である。同じく接続部材２０はリング部材３０と貫通孔２１及びピン孔２３を介して係止させているので、矢印に示すように、リング部材３０が左右方向に回動自在となる。
このように、接続部材２０に連結したリング部材３０が上下左右に回動自在になることで、この連結構造１０は自在に変化できる。この結果、身体等に装着した場合には、その装着部位の形状に対応でき、フィット性に優れたものとなる。
【産業上の利用可能性】
【００１３】
本考案は、チェーンやバンドなど複数の部材を着脱自在に連結させる連結構造物に広く利用できるものである。
【図面の簡単な説明】
【００１４】
【図１】本考案の実施形態を示す説明図。
【図２】連結構造の効果の一例を図示した側面図及び平面図。
【図３】特許文献１（従来技術）に記載の鎖帯を示す斜視図。
【符号の説明】
【００１５】
１０  連結構造
２０  接続部材    ２１  貫通孔    ２３  ピン孔
３０  リング部材  ３１  切欠部    ３２  切欠部端面    ３３  ピン孔
４０  ピン部材
【図１】
0003118705.tif 000003
【図２】
0003118705.tif 000004
【図３】
0003118705.tif 000005